(57)【要約】【課題】許容偏心量の大きい接眼レンズ系の実現を課題とする。【解決手段】観察物体の像を、虚像として拡大結像する接眼レンズ系であって、水平画角が４０度以上であり、光軸Ａｘと観察者の眼球との偏心量：Ｓｍｍに対する、タンジェンシアル方向の像面湾曲の変化量：Δｍｍが、全ての像高において、条件：  （１）        −０．２５＜  Δ／Ｓ  ＜０  を満足する偏心量：Ｓの最大値が３ｍｍ以上であることを特徴とする。【選択図】図１
2015034925.tif 000002
【特許請求の範囲】
【請求項１】
観察物体の像を、虚像として拡大結像する接眼レンズ系であって、
水平画角が４０度以上であり、
光軸と観察者の眼球との偏心量：Ｓｍｍに対する、タンジェンシアル方向の像面湾曲の変化量：Δｍｍが、全ての像高において、条件：  
（１）        −０．２５＜  Δ／Ｓ  ＜０  
を満足する偏心量：Ｓの最大値が３ｍｍ以上であることを特徴とする接眼レンズ系。
【請求項２】
請求項１記載の接眼レンズ系において、
物体側から観察側に向かって順次、負の屈折力の第１群、正の屈折力の第２群を配してなり、
第１群は、両凹レンズと両凸レンズの接合レンズを配してなり、
第２群は、２枚もしくは３枚の正レンズで構成され、
物体側がテレセントリックであって、
全系の焦点距離：Ｆ（＞０）、第１群の焦点距離：Ｆ１（＜０）、第２群の焦点距離：Ｆ２（＞０）が、条件：  
（２）  −５  ＜Ｆ１／Ｆ＜−１  
（３）  ０．５＜Ｆ２／Ｆ＜  ３  
を満足することを特徴とする接眼レンズ系。
【請求項３】
請求項２記載の接眼レンズ系において、
第１群の物体側に、凹面を画像表示素子側に向け、両面が非球面である正メニスカスレンズである像面湾曲補正用レンズが付加的に配置されていることを特徴とする接眼レンズ系。
【請求項４】
請求項２または３記載の接眼レンズ系において、
観察者の眼球と、該眼球に最も近いレンズ面との距離であるアイレリーフが２０ｍｍ以上確保されていることを特徴とする接眼レンズ系。
【請求項５】
画像表示素子に２次元的に表示された画像を観察物体として、その虚像を拡大して観察する画像観察装置であって、  
上記画像の虚像を形成する光学系として請求項１〜４の任意の１に記載の接眼レンズ系を用いることを特徴とする画像観察装置。
【請求項６】
請求項５記載の画像観察装置において、
２次元の画像を表示する画像表示素子を１対と、請求項１〜４の任意の１に記載の接眼レンズ系を１対用いるヘッドマウント型の画像観察装置。
【発明の詳細な説明】
【技術分野】
【０００１】
この発明は、接眼レンズ系および画像観察装置に関する。
【背景技術】
【０００２】
観察物体の像を、虚像として拡大結像する接眼レンズ系は、従来から、ルーペや、顕微鏡等の種々の光学機器に広く用いられている。  
また、内視鏡の「光ファイバ束による像伝送体」の対物側端面に結像させた観察対象部位の像を像伝送体の接眼側端面に伝送し、伝送された像を観察物体として、接眼レンズ系により虚像として拡大して観察することも行なわれている。
【０００３】
液晶表示素子やＥＬ表示素子等の「小型の画像表示素子」に２次元的に表示された画像を、接眼レンズ系により虚像として拡大して観察することも行なわれている。
【０００４】
出願人は、先に、小型の画像表示素子に２次元的に表示された画像を、虚像として拡大して観察するのに適した接眼レンズ系を提案した（特許文献１）。
【０００５】
虚像として拡大された像を以下において「拡大虚像」とも言う。
【０００６】
接眼レンズ系を使用する場合、拡大虚像を、観察者が観察し易いことが重要である。
【０００７】
小型の画像表示素子に２次元的に表示された画像を、虚像として拡大して観察する場合、虚像として拡大された画像を以下において「拡大画像」とも言う。
【０００８】
拡大画像の拡大倍率は、一般に非常に大きい。  
拡大画像が「動画」であるような場合、観察者の視線は、拡大画像の上を移動する。
【０００９】
拡大画像の画角を大きくして結像倍率を大きくすると、拡大画像上で移動する視線の移動範囲も大きくなる。
【００１０】
観察者の視線が拡大画像上を移動すると、観察者の眼球は「接眼レンズ系の光軸に対して偏心」する。
【００１１】
接眼レンズ系の光軸に対する眼球の偏心の大きさを「偏心量」と言う。
【００１２】
即ち、観察者の眼球の瞳の中心が接眼レンズ系の光軸上にあって、視線が光軸に合致している場合を「眼球の基準位置」とする。
【００１３】
観察者が、この基準位置から眼球を動かして「視線を水平方向の左右」に向けた状態で、瞳の中心と接眼レンズ系の光軸との距離が「偏心量」である。
【００１４】
偏心量が大きくなると、観察される拡大画像（以下「観察画像」とも言う。）の像質の劣化が生じる。  
観察画像の像質が実用上劣化しないような偏心量の範囲を「許容偏心量」という。
【００１５】
許容偏心量が狭いと、観察の容易さが損なわれる。
【００１６】
従って、接眼レンズ系は「許容偏心量が大きい」ことが好ましい。
【００１７】
特許文献１には、接眼レンズ系と画像表示素子との対を「左右の目に対してそれぞれ用いるヘッドマウント型の画像観察装置」が開示されている。
【００１８】
このタイプのヘッドマウント型の画像観察装置を、以下「ＨＭＤ（ヘッド・マウント・ディスプレィ）」と略記する。
【００１９】
このようなＨＭＤにおいては、観察者の瞳孔間距離（眼幅）と「左右の接眼レンズ系の間隔」のずれや、「瞳孔と接眼レンズ系の上下方向の位置のずれ」も偏心を発生させる。
【００２０】
このような偏心によっても観察画像は劣化する。  
ＨＭＤの装着時には、観察者の眼幅に応じて「左右の接眼レンズ系の間隔」を調整し、ＨＭＤの装着態位を調整する。
【００２１】
このとき「左右の接眼レンズ系の間隔」や装着態位の調整が不十分な場合や、装着後に「ずれ」が生じたような場合にも観察画像の劣化が生じる。
【００２２】
このため、偏心許容量が小さいと、ＨＭＤの装着の際の調整に高精度が要求され、装着時の調整が面倒であるし、装着後の「経時的なずれ」に対する調整も面倒である。
【発明の概要】
【発明が解決しようとする課題】
【００２３】
この発明は、許容偏心量の大きい接眼レンズ系の実現を課題とする。  
【課題を解決するための手段】
【００２４】
この発明の接眼レンズ系は、観察物体の像を、虚像として拡大結像する接眼レンズ系であって、水平画角が４０度以上であり、光軸と観察者の眼球との偏心量：Ｓｍｍに対する、タンジェンシアル方向の像面湾曲の変化量：Δｍｍが、全ての像高において、条件：  
（１）        −０．２５＜  Δ／Ｓ  ＜０  
を満足する偏心量：Ｓの最大値が３ｍｍ以上であることを特徴とする。
【発明の効果】
【００２５】
この発明に依れば、許容偏心量が±３ｍｍ以上と大きく、拡大画像を観察し易い新規な接眼レンズ系を実現できる。
【００２６】
この発明の接眼レンズ系をＨＭＤ型の画像観察装置に用いることにより、ＨＭＤの装着時や装着後の調整が大幅に容易になり、ＨＭＤ装着時の快適性・装着後のずれに対する耐性が向上する。
【図面の簡単な説明】
【００２７】
【図１】接眼レンズ系の実施の１形態を示す図である。
【図２】図１の実施の形態の具体的な実施例の縦収差を示す図である。
【図３】図１の実施の形態の具体的な実施例の横収差を示す図である。
【図４】実施例１における、偏心量：Ｓによるタンジェンシアル方向の像面湾曲の変化を説明する図である。
【図５】比較例における、偏心量：Ｓによるタンジェンシアル方向の像面湾曲の変化を説明する図である。
【図６】接眼レンズ系の使用の１態様としての接眼レンズ系を用いたヘッドマウント型の画像観察装置の１形態を示す図である。
【図７】実施例１における、偏心量：Ｓ＝１、２、３、４ｍｍのときの像面位置、像面湾曲の変化：Δ、パラメータ：Δ／Ｓを示す図である。
【図８】比較例における、偏心量：Ｓ＝１、２、３、４ｍｍのときの像面位置、像面湾曲の変化：Δ、パラメータ：Δ／Ｓを示す図である。
【発明を実施するための形態】
【００２８】
以下、実施の形態を説明する。  
図１は、接眼レンズ系の実施の１形態を示す図である。
【００２９】
図１に示す接眼レンズ系は、液晶表示素子や有機ＥＬ表示素子等の「画像表示素子」に表示される２次元画像を観察物体として観察するのに用いることを想定している。
【００３０】
即ち、前記２次元画像を虚像として拡大結像させた「拡大画像」を観察する。
【００３１】
図１において、図の左方を「画像表示素子側」即ち「物体側」とし、右方を「眼球側」即ち「観察側」とする。
【００３２】
図１において、符号ＩＳは「画像表示素子の画像表示面」を表す。画像は画像表示面ＩＳに２次元画像として表示される。符号ＣＧは「画像表示素子のカバーガラス」を示す。
【００３３】
符号Ｇ１により「第１群」、符号Ｇ２により「第２群」を表す。また、符号Ｅは眼球における「瞳」を表す。また、符号Ｉｍは「結像面」を示す。  
接眼レンズ系を構成するレンズには、画像表示面ＩＳ側から観察側へ向かって「通し番号」を付し、レンズＬ１〜Ｌ６とする。
【００３４】
図１に実施の形態を示す接眼レンズ系は、図示の如く、６枚のレンズＬ１〜Ｌ６で構成されている。  
画像表示面ＩＳ側の２枚のレンズＬ２、Ｌ３は、負の屈折力の第１群Ｇ１を構成する。
【００３５】
レンズＬ２は「画像表示面ＩＳ側の曲率の大きい両凹レンズ」、レンズＬ３は「両凸レンズ」で、これらレンズＬ２、Ｌ３は接合されて「接合レンズ」となっている。
【００３６】
レンズＬ４〜Ｌ６は、正の屈折力の第２群Ｇ２を構成する。  
レンズＬ４〜Ｌ６は共に正レンズである。
【００３７】
即ち、レンズＬ４は「凸面を観察側に向けた正メニスカスレンズ」であり、レンズＬ５は「両凸レンズ」である。
【００３８】
レンズＬ６は「凸面を観察側に向けた正メニスカスレンズ」である。
【００３９】
なお、図１においてレンズＬ６は、外観上「両凸レンズ」の如き形状であるが、近軸形状は「凸面を観察側に向けた正メニスカスレンズ」である。
【００４０】
第１群Ｇ１の画像表示面ＩＳ側に付加的に配置されたレンズＬ１は「凹面を物体側に向け、両面が非球面である正メニスカスレンズ」であり「像面湾曲補正用レンズ」である。
【００４１】
像面湾曲補正用レンズＬ１は、第１群Ｇ１と第２群Ｇ２とによる像面湾曲を軽減し、結像面を平坦化する所謂「フィールドフラットナーレンズ」である。
【００４２】
従って、像面湾曲補正用レンズＬ１自体のパワーは弱い。
【００４３】
図１に示す如く、画像表示面ＩＳに表示された２次元画像は、接眼レンズ系により像面Ｉｍの位置に結像する。  
観察者の眼球の瞳Ｅは、像面Ｉｍよりも物体側にあり、従って、観察者が観察する拡大画像は「拡大された虚像」である。
【００４４】
後述する像面湾曲は「像面Ｉｍの湾曲」である。
【００４５】
この発明の接眼レンズ系は、前述の如く、水平画角が４０度以上である。
【００４６】
接眼レンズ系の光軸（図１に符号ＡＸで示す。）と観察者の眼球との偏心量：Ｓｍｍに対する「タンジェンシアル方向の像面湾曲」の変化量をΔｍｍとする。
【００４７】
このとき、全ての像高において「Δ／Ｓ」が、条件：  
（１）        −０．２５＜  Δ／Ｓ  ＜０  
を満足する偏心量：Ｓの最大値が３ｍｍ以上である。
【００４８】
拡大画像を観察する場合、「観察者が見たいと思う拡大画像位置」に視線を向けたとき、この画像位置でピントが合わないと、観察画像が劣化し、良好な画像を見られない。
【００４９】
拡大画像の周辺部に視線を向けるとき、偏心量：Ｓは大きくなる。  
発明者は、偏心量と「観察画像の劣化」について研究を重ねた。
【００５０】
その結果、観察画像の劣化が「偏心量により接眼レンズ系の像面湾曲が減少する」ことに起因するとの知見を得た。
【００５１】
条件（１）におけるパラメータ：Δ／Ｓは、前記「像面湾曲の減少量」を偏心量：Ｓにより規格化したものである。
【００５２】
「偏心量：Ｓによる像面湾曲の減少」で、問題となるのは「タンジェンシアル方向の像面湾曲」である。
【００５３】
「サジタル方向の像面湾曲」は、一般に、タンジェンシアル方向の像面湾曲よりも小さく、偏心量：Ｓの増大に伴う減少量も小さいため、実際上度外視することができる。
【００５４】
タンジェンシアル方向の像面湾曲の「正（＋）領域」は、観察者にとって虚像であってピントを合わせることができ、良好な観察画像を観察できる。
【００５５】
タンジェンシアル方向の像面湾曲が減少して「負（−）領域」になると、この領域は実像領域となり、観察者はピントを合わせることができない。  
これが観察画像劣化の原因である。
【００５６】
条件（１）は、偏心量：Ｓに対する「タンジェンシアル方向の像面湾曲の変化：Δ」の比：Δ／Ｓの範囲を示している。
【００５７】
条件（１）の上限は「０」である。上限の「０」を超えても、拡大像は虚像領域にあり、従って、観察者が目のピントを合わせることは可能である。
【００５８】
しかし、像面湾曲が「＋側に増大」すると、観察画像の像面が変化し、画像に歪みが生じて観察しにくくなる。従って、条件（１）の上限は「０」が良い。
【００５９】
「拡大虚像を観測し易い水平画角」は４０度以上であり、例えば、水平画角：４０度〜４５度の範囲が良い。
【００６０】
一般に、水平画角が大きくなるに従い、条件（１）のパラメータ：Δ／Ｓは増大する。
【００６１】
水平画角：４０度以上の接眼レンズ系で、条件（１）の下限値の「−０．２５」を超えると「偏心量：Ｓの単位変化あたりの像面湾曲の減少量」が過大になる。
【００６２】
このため、ピントの合った状態で観察画像を観察できる「許容偏心量」が小さくなり、観察の容易さが損なわれる。
【００６３】
この発明では、条件（１）を満足する偏心量：Ｓの最大値が３ｍｍ以上で、偏心許容量が±３ｍｍあるので、偏心量：Ｓが３ｍｍ以上でも観察の容易さが損なわれない。
【００６４】
「Ｓｍｍの偏心に対し、タンジェンシアル方向の像面が虚像領域に残っているか」どうかは、虚像を観測する接眼レンズ系における物体位置にもよる。
【００６５】
この発明の接眼レンズ系は、このような「物体位置による条件」も含め、水平画角：４０度以上の条件で、偏心量：Ｓｍｍとタンジェンシアル方向の像面湾曲の変化量：Δｍｍが、偏心量が３ｍｍ以上となる場合にも、全ての像高において条件（１）を満足する。
【００６６】
接眼レンズ系は、勿論、光学性能も良好であることが好ましい。
【００６７】
光学性能を良好にし、かつ、軽量・コンパクト性も鑑みると、図１に示すようなレンズ構成で、以下の条件（２）、（３）を満足することが好ましい。
【００６８】
（２）  −５  ＜Ｆ１／Ｆ＜−１  
（３）  ０．５＜Ｆ２／Ｆ＜  ３                          。
【００６９】
条件（２）、（３）で、Ｆは全系の焦点距離（＞０）、Ｆ１は第１群の焦点距離（＜０）、Ｆ２は第２群の焦点距離（＞０）である。
【００７０】
また、接眼レンズ系は、物体側がテレセントリックで、アイレリーフが２０ｍｍ以上確保されていることが好ましい。
【００７１】
「アイレリーフ」は、観察者の眼球（図１の瞳Ｅ）と、眼球に最も近いレンズ面（レンズＬ６の観察側面）との距離である。
【００７２】
図１の実施の形態に示すように、「負の屈折力を有する第１群Ｇ１」は、観察物体からの光を「眼球側に向けて発散」させる作用を持つ。
【００７３】
このような発散作用を第１群Ｇ１に持たせることにより、「小さい観察物体」を観察する場合でも画角を広げることができる。
【００７４】
従って、観察物体を「広い画角の拡大虚像」として結像させることができ、拡大虚像を観察し易くなる。
【００７５】
条件（２）のパラメータ：Ｆ１／Ｆの絶対値が小さいほど、第１群Ｇ１の負の屈折力は強く、物体光を眼球側に向けて発散させる効果は大きい。
【００７６】
しかし、条件（２）の下限を超えると、上記発散効果が過剰となり、観察物体からの光束を眼球に向けて集光する第２群Ｇ２の「レンズ径」を大きくする必要が生じる。
【００７７】
このため、接眼レンズ系が「全体として大型化」し易く、コストも高くなり易い。
【００７８】
また、物体側のテレセントリック性確保が困難になる。
【００７９】
条件（２）の上限を超えると、前記発散効果が不十分となる。  
このため、観察し易い範囲として、例えば、水平画角：４０度〜４５度の範囲を実現しようとすると、第２群Ｇ２に大きな正の屈折力が必要となる。
【００８０】
このため、第２群Ｇ２の正の屈折力の増大に伴い、種々の収差が発生し易く、その補正が困難となり易い。
【００８１】
第２群Ｇ２は「正の屈折力」を有するから、第１群Ｇ１により発散傾向を与えられた光束を、眼球に向かって収束させる。  
収差補正の観点から、第２群Ｇ２を「１枚の正レンズ」で構成することは困難であり、第２群に「２〜３枚の正レンズ」を用い、これらに収差補正機能を分散するのが良い。
【００８２】
条件（３）のパラメータ：Ｆ２／Ｆが小さいほど、第２群Ｇ２の持つ「正の屈折力」は大きくなる。
【００８３】
条件（３）の下限を超えると、正の屈折力が過剰となって大きな収差が発生し易く、収差補正が困難になり易い。
【００８４】
条件（３）の上限を超えると、第２群Ｇ２の持つ「正の屈折力」が不足気味となり、接眼レンズ系と瞳Ｅとの間隔（前記「アイレリーフ」）が小さくなり易い。
【００８５】
アイレリーフが小さい場合、水平画角が大きくなると、瞳の左右方向への「振れ角」が大きくなり、拡大画像を観察しづらくなる。
【００８６】
このため、水平画角：４０度〜４５度を実現するのが困難になる。
【００８７】
物体側がテレセントリックであることは、実施の形態に示した「画像表示素子に２次元的に表示された画像を観察物体」とする場合に好ましい。
【００８８】
液晶表示素子や有機ＥＬ表示素子等の「画像表示素子」からの光は指向性を持つ。
【００８９】
従って、接眼レンズ系の物体側をテレセントリックとすることにより画像表示素子からの光を、均一且つ十分に取り込むことができる。
【００９０】
従って「画角によって観察画像の明るさや色が異なる問題」を有効に回避できる。
【００９１】
また、接眼レンズ系を、後述する「ヘッドマウント型の画像観察装置」に用いるような場合、アイレリーフが小さいと、観察者の眼球と接眼レンズ系が近接する。
【００９２】
従って、アイレリーフが小さ過ぎると、観察者に圧迫感を与え、観察者が疲れ易くなり、例えば「長時間の観察」が困難になりやすい。
【００９３】
快適な画像観察を実現できるためには、アイレリーフは２０ｍｍ以上確保されていることが好ましい。
【００９４】
図６に、接眼レンズ系の使用の１態様として「接眼レンズ系を用いたヘッドマウント型の画像観察装置」の１形態を示す。  
図６において、符号１０は画像観察装置、符号２０は観察者の頭部を示している。
【００９５】
画像観察装置１０は、その要部である１対の接眼レンズ系１１Ｌ、１１Ｒと画像表示素子１２Ｌ、１２Ｒがケーシング１３内に所定の位置関係に収納されている。  
そして、ケーシング１３が観察者の頭部２０に、バンドやフレーム等の適宜の装着手段により装着されるようになっている。  
接眼レンズ系１１Ｌ、画像表示素子１２Ｌは「左眼用」であり、接眼レンズ１１Ｒ、画像表示素子１２Ｒは「右眼用」である。  
接眼レンズ系１１Ｌ、１１Ｒとしては請求項１〜４の何れかに記載にもの、具体的には後述の実施例１に記載のものが用いられる。
【００９６】
画像表示素子１２Ｌ、１２Ｒとしては、液晶表示素子やＥＬ表示素子等が用いられる。
【００９７】
画像表示素子１２Ｌ、１２Ｒに２次元画像として表示される画像が、接眼レンズ系１１Ｌ、１１Ｒに対する「観察物体」となる。
【００９８】
画像表示素子１２Ｌに表示される左眼用２次元画像と、画像表示素子１２Ｒに表示される右眼用２次元画像とを所定の周期で切り替えることにより３次元画像を観察できる。
【実施例】
【００９９】
以下、図１に実施の形態を示した接眼レンズ系の具体的な実施例を挙げる。
【０１００】
以下に挙げる実施例１において、「面番号」は、物体側から数えたレンズ面の番号であり、「Ｒ」は各レンズ面の曲率半径、「Ｄ」は「隣接レンズ面のレンズ面間距離」を表す。
【０１０１】
「Ｎ」はレンズ材質のｄ線の屈折率、「ｖ」はアッベ数を示す。
【０１０２】
「非球面」は、以下の周知の式で表わされる。
【０１０３】
Ｘ＝（Ｈ２／Ｒ）／［１＋{１−ｋ(Ｈ／ｒ)２}１／２］  
＋Ａ・Ｈ４＋Ｂ・Ｈ６＋Ｃ・Ｈ８＋Ｄ・Ｈ１０＋Ｅ・Ｈ１２＋・・・
この式において、「Ｘ」は、面の頂点を基準としたときの光軸からの高さ：Ｈの位置での光軸方向の変位である。
【０１０４】
また、「ｋ」は円錐係数、Ａ〜Ｅ・・・は高次の非球面係数、「Ｒ」は近軸曲率半径である。なお、長さの元を持つ量の単位は「ｍｍ」である。
【０１０５】
「実施例１」
実施例１のレンズデータを表１に、非球面データを表２に示す。
【０１０６】
【表１】
2015034925.tif 000003
【０１０７】
【表２】
2015034925.tif 000004
【０１０８】
表２に示すデータにおいて、例えば「-3.7E-06」は「-3.7×10-6」を意味する。
【０１０９】
実施例１の接眼レンズ系において、  
全系の焦点距離：Ｆ＝１８．９ｍｍ  
第１群Ｇ１の焦点距離：Ｆ１＝−６３．２ｍｍ  
第２群Ｇ２の焦点距離：Ｆ２＝２７．４ｍｍ  
である。  
従って、条件（２）のパラメータ：Ｆ１/Ｆ＝−３．３、条件（３）のパラメータ：Ｆ２/Ｆ＝１．４である。
【０１１０】
瞳Ｅの径（瞳径）：４ｍｍ、アイレリーフ：２５ｍｍ、観察画像の観察距離：２０ｍ、水平画角：４５度である。  
図２、図３に、実施例１の接眼レンズ系に関する収差図を示す。  
図２は縦収差、図３は横収差を示す。
【０１１１】
これら収差図から明らかなように、実施例１の接眼レンズ系は、諸収差が良好に補正され、性能良好である。
【０１１２】
実施例１の接眼レンズ系は、図６の画像観察装置に接眼レンズ系１１Ｌ、１１Ｒとして用いることができる。
【０１１３】
この場合、これら接眼レンズ径１１Ｌ、１１Ｒの光軸の成す「輻輳角」は、観察距離：２０ｍの位置で観察画像が重なり合うように設定される。
【０１１４】
実施例１の接眼レンズ系は、瞳径を４ｍｍ（通常の瞳径の平均値）に等しくとり、軸上の解像度よりも、瞳のシフト・チルトによる観察画像の劣化の低減を重視している。
【０１１５】
図４は、実施例１における、偏心量：Ｓによるタンジェンシアル方向の像面湾曲の変化を説明する図である。
【０１１６】
図４において、横軸は像高で、最大像高を１に規格化している。  
縦軸は「デフォーカス」、即ち、像面湾曲量を「ｍｍ単位」で示している。  
曲線４−１は、図３の縦収差図の「像面湾曲・非点収差の図」における、タンジェンシアル方向の像面湾曲のうちで「５３８ｎｍの波長の光に対する像面湾曲」を示す。
【０１１７】
曲線４−１は、５３８ｎｍの光に対する「タンジェンシアル方向の像面湾曲」を、縦軸に対して対称的に示している。
【０１１８】
曲線４−２、４−３、４−４、４−５は、パラメータである偏心量：Ｓが＋方向に、１ｍｍ、２ｍｍ、３ｍｍ、４ｍｍずれた場合のタンジェンシアル方向の像面湾曲を示す。
【０１１９】
偏心量：Ｓの増加に伴い、曲線４−２〜４−５で示す「タンジェンシアル方向の像面湾曲」が順次、縦軸の「マイナス側（実像領域側）」へ減少するのが分かる。
【０１２０】
Ｓ＝０の場合の曲線４−１、Ｓ＝１ｍｍのときの曲線４−２では、殆ど全ての像高で像面湾曲は「＋」で拡大画像は虚像領域にあり、良好にピントを合わせて観察できる。
【０１２１】
Ｓ＝２ｍｍのときの曲線４−３でも、＋側の像高領域の０．１５以上の像高で拡大画像は虚像領域にあり、良好にピントを合わせて観察できる。
【０１２２】
Ｓ＝３ｍｍのときの曲線４−４でも、＋側の像高領域の０．４〜０．６の像高で拡大画像は虚像領域にあり、良好にピントを合わせて観察できる。
【０１２３】
Ｓ＝４ｍｍのときの曲線４−５では、＋側の像高の殆どの領域で拡大画像は「正の実像領域」にあり、良好なピント合わせはできない。
【０１２４】
従って、実施例１の接眼レンズ系は「±３ｍｍの許容偏心量」をもつ。
【０１２５】
なお、偏心量：Ｓが＋側のとき、観察者の視線は「拡大画像の右側」に向かうので、−側の像高の像面湾曲は問題とならない。
【０１２６】
偏心量：Ｓが−側のときには、図４の各曲線４−１〜４−５を、縦軸を軸として反転した曲線になる。
【０１２７】
以下、比較例を挙げる。
【０１２８】
「比較例」
比較例の接眼レンズ系は、特許文献１に「実施例３」として記載されたものであり、構成レンズ枚数が５枚である点で、図１の実施の形態のものとレンズ構成が異なる。
【０１２９】
比較例のレンズデータを表３に、非球面データを表４に示す。
【０１３０】
【表３】
2015034925.tif 000005
【０１３１】
【表４】
2015034925.tif 000006
【０１３２】
比較例の接眼レンズ系において、  
全系の焦点距離：Ｆ＝１８．９ｍｍ  
第１群Ｇ１の焦点距離：Ｆ１＝−５５．０ｍｍ  
第２群の焦点距離：Ｆ２＝２６．９ｍｍ  
である。  
従って、条件（２）のパラメータ：Ｆ１／Ｆ＝−２．９、条件（３）のパラメータ：Ｆ２／Ｆ＝１．４である。
【０１３３】
瞳Ｅの径：４ｍｍ、アイレリーフ：２５ｍｍ、虚像の観察距離：２０ｍ、水平画角：４５度である。  
比較例の接眼レンズ系も、瞳径を「通常の瞳径の平均値」である４ｍｍに等しくとり、軸上の解像度よりも、瞳のシフト・チルトによる観察画像の劣化の低減を重視している。
【０１３４】
また、比較例の接眼レンズ系の収差曲線は、特許文献１の図７に示された如くであり、性能良好である。
【０１３５】
図５は、比較例における、偏心量：Ｓによるタンジェンシアル方向の像面湾曲の変化を説明する図で、図４に倣って描いてある。
【０１３６】
曲線５−１は、波長：５３８ｎｍの光に対するタンジェンシアル方向の像面湾曲を、縦軸に対して対称的に示している。
【０１３７】
曲線５−２、５−３、５−４、５−５は、パラメータである偏心量：Ｓが＋方向に、１ｍｍ、２ｍｍ、３ｍｍ、４ｍｍずれた場合のタンジェンシアル方向の像面湾曲を示す。
【０１３８】
偏心量：Ｓの増加に伴い、曲線４−２〜４−５で示すタンジェンシアル方向の像面湾曲が、順次縦軸の「マイナス側（実像領域側）」へ減少するのが分かる。
【０１３９】
Ｓ＝０の場合の曲線５−１、Ｓ＝１ｍｍのときの曲線５−２では、殆ど全ての像高で像面湾曲は「＋」で拡大画像は虚像領域にあり、良好にピントを合わせて観察できる。
【０１４０】
Ｓ＝２ｍｍのときの曲線５−３でも、＋側の像高領域の０．３以上の像高で拡大画像は虚像領域にあり、良好にピントを合わせて観察できる。
【０１４１】
Ｓ＝３ｍｍのときの曲線５−４、Ｓ＝４ｍｍのときの曲線５−５では、＋側の像高の殆どの領域で拡大画像は「正の実像領域」にあり、良好なピント合わせはできない。
【０１４２】
従って、比較例の接眼レンズ系の「許容偏心量」は±２ｍｍである。
【０１４３】
即ち、実施例１と比較例の接眼レンズ系は、共に性能良好であり、物体側にテレセントリックで、２０ｍｍ以上のアイレリーフが確保されている。
【０１４４】
しかし、実施例１の接眼レンズ系は、比較例の接眼レンズよりも許容偏心量を±１ｍｍ拡大しており、実施例１の接眼レンズ系は、拡大画像を「より観察」し易い。
【０１４５】
実施例１および比較例の各接眼レンズ系における、偏心量：Ｓ＝１、２、３、４ｍｍのときの像面位置、像面湾曲の変化：Δ、パラメータ：Δ／Ｓを図７および図８に示す。
【０１４６】
図７は、実施例１に関するもの、図８は比較例に関するものである。最大像高を１に規格化された各像高は、０．０から１．０で、０．１刻みで示している。
【０１４７】
実施例１では、パラメータ：Δ／Ｓが、偏心量：Ｓ＝０〜３まで、全ての像高で、条件（１）の範囲である。
【０１４８】
これに対し、比較例では、パラメータ：Δ／Ｓが、全ての像高で、条件（１）の範囲にあるのは、偏心量：Ｓ＝０〜２までである。
【符号の説明】
【０１４９】
ＩＳ      画像表示面  
ＣＧ      画像表示素子のカバーガラス  
Ｌ１      像面湾曲補正用レンズ  
Ｇ１      第１群  
Ｇ２      第２群  
Ｅ        瞳  
Ｉｍ      結像面  
ＡＸ      光軸
【先行技術文献】
【特許文献】
【０１５０】
【特許文献１】特開２０１３−４５０２０号公報
【図１】
2015034925.tif 000007
【図２】
2015034925.tif 000008
【図３】
2015034925.tif 000009
【図４】
2015034925.tif 000010
【図５】
2015034925.tif 000011
【図６】
2015034925.tif 000012
【図７】
2015034925.tif 000013
【図８】
2015034925.tif 000014